(57)【要約】【課題】拡大／縮小された画像の目標箇所に、正確にカーソルを設定することができる表示機器を提供する。【解決手段】デジタルカメラは、デジタル画像を拡大／縮小するＣＰＵ1と、該ＣＰＵ1に繋がってデジタル画像の拡大／縮小倍率を設定する表示倍率設定手段3と、該拡大／縮小されたデジタル画像を表示するディスプレイ20と、該ディスプレイ20上に表示される種々の大きさのカーソル4が格納されるカーソルメモリ40を具えている。ＣＰＵ1は、表示倍率設定手段3により設定されたデジタル画像の拡大／縮小倍率に応じた大きさのカーソル4をカーソルメモリ40から読み込み、拡大／縮小表示されるデジタル画像に重ねて表示する機能を有する。【選択図】  図６
2006309040.tif 000002
【特許請求の範囲】
【請求項１】
デジタル画像を拡大／縮小する制御手段と、該制御手段に繋がってデジタル画像の拡大／縮小倍率を設定する表示倍率設定手段と、該拡大／縮小されたデジタル画像を表示するディスプレイと、該ディスプレイ上に表示される種々の大きさのマークが格納されるマーク格納手段を具え、
制御手段は、表示倍率設定手段により設定されたデジタル画像の拡大／縮小倍率に応じた大きさのマークをマーク格納手段から読み込み、拡大／縮小表示されるデジタル画像に重ねて表示する機能を有することを特徴とするデジタル画像表示機器。
【請求項２】
制御手段には、マークのディスプレイ上の移動量を設定するマーク移動量設定手段が接続され、制御手段は表示倍率設定手段により設定されたデジタル画像の拡大／縮小倍率に合わせて、マークのディスプレイ上の移動量を変更する機能を有する、請求項１に記載のデジタル画像表示機器。
【請求項３】
デジタル画像を拡大／縮小する制御手段と、該制御手段に繋がってデジタル画像の拡大／縮小倍率を設定する表示倍率設定手段と、該拡大／縮小されたデジタル画像を表示するディスプレイと、該ディスプレイ上に表示されるマークが格納されるマーク格納手段を具え、
制御手段には、マークのディスプレイ上の移動量を設定するマーク移動量設定手段が接続され、
制御手段は、拡大表示されるべき複数の小画像を上下又は左右に並べて格納する画像展開用メモリに繋がって、ディスプレイ上に表示されている画像が対応している第１の小画像を認識しており、
マーク移動量設定手段によりマークがディスプレイ上のしきい値を超えて移動した際には、第１の小画像よりも該マーク移動側に位置する第２の小画像を拡大して、ディスプレイ上に表示されている画像に代えて表示する機能を有することを特徴とするデジタル画像表示機器。
【請求項４】
デジタル画像を拡大／縮小する制御手段と、該制御手段に繋がってデジタル画像の拡大／縮小倍率を設定する表示倍率設定手段と、該拡大／縮小されたデジタル画像を表示するディスプレイと、該ディスプレイ上に表示される種々の大きさのマークが格納されるマーク格納手段を具えたデジタル画像表示機器の画像表示方法であって、
制御手段が、表示倍率設定手段により設定されたデジタル画像の拡大／縮小倍率を読み込む工程と、
制御手段が、デジタル画像の拡大／縮小倍率に応じた大きさのマークをマーク格納手段から読み込む工程と、
該拡大／縮小倍率に応じた大きさのマークを、拡大／縮小表示されるデジタル画像に重ねて表示する工程と、
デジタル画像の拡大／縮小倍率に合わせて、マークのディスプレイ上の移動量を変更する工程を有するデジタル画像表示方法。
【発明の詳細な説明】
【技術分野】
【０００１】
本発明は、デジタル画像表示機器及び画像表示方法、具体的には撮影したデジタル画像を拡大／縮小して表示させることができるデジタルカメラ及びその画像表示方法に関する。
【背景技術】
【０００２】
図１０は、一般的なデジタルカメラのキャビネット(２)の背面図である。キャビネット(２)の背面には、液晶パネルであるディスプレイ(20)が設けられ、該ディスプレイ(20)上には、ポインタと呼ばれる十字形のカーソル(４)が表示される。カーソル(４)はディスプレイ(20)上に、画像とは別に表示されるマークであり、十字形の他の形である図形も可能である。
キャビネット(２)上にてディスプレイ(20)の側方には、カーソル(４)をディスプレイ(20)の画面上にて移動させるカーソル釦(22)が設けられている(例えば、特許文献１参照)。キャビネット(２)の前面には、ストロボ(21)が設けられ、キャビネット(２)の上面にはシャッタ釦(23)が設けられている。シャッタ釦(23)を押して撮影されたデジタル画像は、ディスプレイ(20)に写される。
カメラにて、ストロボ(21)を発光させて、人の顔を撮影した場合に、目の血管にストロボ(21)の光が反射して、瞳孔部分が赤く写る、所謂赤目現象を生じることがある。デジタルカメラに於いては、撮影した画像を加工して、赤目を黒目に修正するソフトウエアを組み込んだものがあり(例えば、特許文献２参照)、カーソル釦(22)を操作して、カーソル(４)を赤目に合わせて、赤目補正を指示することにより、赤目が黒目に修正される。
【０００３】
また、ディスプレイ(20)に表示されたデジタル画像を縮小／拡大表示する技術も公知であり、キャビネット(２)の背面にはディスプレイ(20)上の画像を拡大／縮小させるときに操作するズーム釦(24)(24)が設けられている。この縮小／拡大方式は、補間変倍方式と呼ばれ、ソフトウエアにてデジタル画像を構成するピクセルを間引き、又は増やす。
デジタル画像を縮小するには、通常の画像を構成するピクセルから一定数のピクセルを間引く。図１１(a)、(b)は、ピクセルを間引く動作を示す図である。図１１(a)に示すように、元の画像が９つのピクセル(７)(７)から形成されていたとすると、図１１(a)にＸで示す５つのピクセル(７)を間引き、残りの４つのピクセル(７)(７)を組みあわせて、図１１(b)に示す縮小画像を構成する。即ち、図１２(a)を通常の画像とすると、縮小された画像は図１２(b)に示す画像となる。
また、デジタル画像を拡大表示するには、ソフトウエアにて隣接するピクセルから補間ピクセルを作り、ピクセルを増やす(例えば、特許文献３参照)。具体的には、図１３(a)に実線で示すように、拡大前の画像が４つの輝度及び色レベルを有するピクセル(７)(７)から構成されているとすると、４つのピクセル(７)(７)の間に、点線で示すように、該隣接するピクセル(７)(７)の中間的な輝度及び色レベルを有する補間ピクセル(70)(70)を形成する。補間ピクセル(70)(70)を形成した後は、図１３(b)に示すようにピクセル(７)と補間ピクセル(70)間の距離を拡大すれば、デジタル画像が拡大表示される。デジタル画像を拡大した後に縮小するには、補間ピクセル(70)(70)を間引く。
【０００４】
【特許文献１】特開２００４−２３６３２号公報
【特許文献２】特開２００４−１４５２８７号公報
【特許文献３】特開平１１−２９８７２７号公報
【発明の開示】
【発明が解決しようとする課題】
【０００５】
画像については、ソフトウエアにてピクセルを間引いて縮小表示できる。しかし、カーソル(４)については、後記の如く、キャビネット(２)内部に格納されたメモリ手段から呼び出されて表示されるから、縮小表示ができなかった。即ち、画像に比して、カーソル(４)が大きい。このため、例えば、図１２(b)に示すように、カーソル(４)操作時に、縮小された人物画像の赤目(８)以外の箇所に、カーソル(４)が合ってしまい、赤目補正ができない虞れがあった。特に、デジタルカメラのように、ディスプレイ(20)が小さいと、カーソル(４)を赤目(８)上に合わせることが難しい。また、画像を拡大した場合に、カーソル(４)が画像に比して小さ過ぎると、やはりカーソル(４)を赤目(８)上に合わせることが難しい。
本発明の目的は、拡大／縮小された画像の目標箇所に、正確にカーソルを設定することができる表示機器を提供することにある。
【課題を解決するための手段】
【０００６】
デジタル画像表示機器は、デジタル画像を拡大／縮小する制御手段と、該制御手段に繋がってデジタル画像の拡大／縮小倍率を設定する表示倍率設定手段(３)と、該拡大／縮小されたデジタル画像を表示するディスプレイ(20)と、該ディスプレイ(20)上に表示される種々の大きさのマークが格納されるマーク格納手段を具え、
制御手段は、表示倍率設定手段(３)により設定されたデジタル画像の拡大／縮小倍率に応じた大きさのマークをマーク格納手段から読み込み、拡大／縮小表示されるデジタル画像に重ねて表示する機能を有する。
【発明の効果】
【０００７】
デジタル画像を拡大／縮小する際には、表示倍率設定手段(３)が拡大／縮小すべき倍率を制御手段に伝え、該制御手段は、表示倍率設定手段(３)が設定した倍率にデジタル画像を拡大／縮小する。
次に、制御手段は拡大／縮小すべき倍率に応じたマークをマーク格納手段から読み込んで、ディスプレイ(20)に表示させる。
これにより、マークは、拡大／縮小された画像に応じた大きさに設定される。使用者は、拡大／縮小された画像の目標箇所にマークであるカーソル(４)を正確に合わせることができる。
【発明を実施するための最良の形態】
【０００８】
(全体構成)
以下、本発明の一実施例を図を用いて、詳述する。
キャビネット(２)の外観は、図１０に示す従来のものと同様である。図１は、本発明に係わるデジタルカメラの内部ブロック図である。対物レンズ(５)からの光は、ＣＣＤ(50)上に合焦される。ＣＣＤ(50)は受けた光信号を電気信号である画像信号に変換して出力し、該画像信号はＣＤＳ(相関二重サンプリング)回路(51)によりノイズが低減された後に、ＡＧＣ(自動利得制御)回路(52)によりレベルが調整される。画像信号は、Ａ／Ｄコンバータ(53)にてデジタル信号に変換され、デジタル信号処理部(54)にて黒レベルやホワイトバランスが調整された後に、制御手段であるＣＰＵ(１)に入力する。ＣＰＵ(１)は、メモリカード(９)に繋がり、画像信号は圧縮伸長回路(55)にて圧縮されてメモリカード(９)内に格納される。メモリカード(９)内の画像は、圧縮伸長回路(55)にて伸長されて液晶パネルであるディスプレイ(20)に表示される。
【０００９】
ＣＰＵ(１)には、デジタル画像を拡大／縮小させるソフトウエア、及び赤目補正用のソフトウエアが格納されたＲＯＭ(10)及びメモリカード(９)内の画像を一時的に格納するＳＤＲＡＭからなる画像展開用メモリ(６)が接続されている。ソフトウエアにてデジタル画像を拡大／縮小させる手順は従来と同様であるが、ピクセルを間引き、或いは補間ピクセルを作るのは、画像展開用メモリ(６)内にて行われ、ＣＰＵ(１)は画像展開用メモリ(６)内にて作成された拡大／縮小画像をディスプレイ(20)に表示させる。
また、前記カーソル釦(22)は、カーソル移動量設定手段(41)を介して、ＣＰＵ(１)に繋がり、ズーム釦(24)(24)は表示倍率設定手段(３)を介してＣＰＵ(１)に繋がる。カーソル移動量設定手段(41)は、カーソル釦(22)の押圧操作に応じて、ディスプレイ(20)上でカーソル(４)を移動させる量を演算してＣＰＵ(１)に伝える。使用者が、カーソル釦(22)を押すと、カーソル(４)は上下左右に１ピクセルずつ移動する。
尚、斯種デジタルカメラにあっては、カーソル(４)の移動量及び位置を示すには、ピクセルをドットと表現する場合が多く、以下の記載に於いても、カーソル(４)の移動量及び位置を示すのにドットの語を用いる。
【００１０】
表示倍率設定手段(３)は、ズーム釦(24)(24)の押圧操作に応じて、拡大／縮小すべき倍率をＣＰＵ(１)に伝え、該ＣＰＵ(１)はＲＯＭ(10)内のソフトウエアを用いて、表示倍率設定手段(３)によって設定された倍率にデジタル画像を拡大／縮小する。ＣＰＵ(１)には、カーソルメモリ(40)が接続されており、図２に示すように、該カーソルメモリ(40)内のテーブルには、デジタル画像を拡大／縮小させる倍率に応じた種々の大きさのカーソル(４)が格納されている。
【００１１】
ＣＰＵ(１)はメモリカード(７)からデジタル画像を読み込んだ際に、デジタル画像を下記のＹ座標の値に基づいて３つに区切り、図３に示すように、３つの小画像(60a)(60b)(60c)を画像展開用メモリ(６)の一部領域内に形成する。３つの小画像(60a)(60b)(60c)は、隣接する小画像の一部が重なって、上下に並べられた状態で格納されている。
当初、ディスプレイ(20)に表示されている画像は、図１２(a)に示す画像であり、被写体は人の顔であって、赤目が生じている。最上位の小画像(60b)は、図４(a)に示すように被写体の上端部に、真ん中の小画像(60a)は、図４(b)に示すように被写体の中央部に、最下位の小画像(60c)は、図４(c)に示すように被写体の下端部に夫々対応している。即ち、当初、ディスプレイ(20)に表示されている画像に、対応する小画像(60a)は図４(b)に示す画像である。
尚、小画像(60a)(60b)(60c)が上下に並べられているのは、以下の説明の便宜上であって、左右に並べてもよい。また、小画像(60a)(60b)(60c)は３つ以上でもよい。
【００１２】
ディスプレイ(20)上のカーソル(４)の位置は、図５に示すように、ディスプレイ(20)の左隅を原点とするＸ−Ｙ座標上のドットにて示される。ＣＰＵ(１)は、カーソル(４)が表示されている位置をカーソル移動量設定手段(41)から認識しており、該カーソル(４)の位置がどの小画像(60a)(60b)(60c)に対応しているかも認識している。本実施例で示すディスプレイ(20)は、Ｘ座標が最大３２０ドット、Ｙ座標が最大２４０ドットであるが、この値に限定されない。また、カーソル(４)の初期位置は、Ｘ座標１５６ドット、Ｙ座標１０４ドットとするが、これも限定されない。
【００１３】
(カーソルの拡大／縮小)
本例にあっては、デジタル画像を拡大／縮小させると、該拡大／縮小倍率に応じた大きさのカーソル(４)がディスプレイ(20)に表示される。以下、この動作を図６のフローチャートを用いて説明する。
使用者がズーム釦(24)(24)を操作して、画像を拡大表示する旨を入力すると(Ｓ1)、表示倍率設定手段(３)は、デジタル画像を拡大すべき倍率をＣＰＵ(１)に伝える。該ＣＰＵ(１)はＲＯＭ(10)内のソフトウエアを用いて、画像展開用メモリ(６)内にて表示倍率設定手段(３)によって設定された倍率にデジタル画像を拡大する(Ｓ2)。この拡大作業は、画像展開用メモリ(６)内の小画像(60a)(60b)(60c)が格納された領域外にて行われる。
【００１４】
次に、ＣＰＵ(１)は拡大すべき倍率に応じたカーソル(４)をカーソルメモリ(40)から選択して読み込み(Ｓ3)、ディスプレイ(20)に重ねて表示させる(Ｓ4)。即ち、通常の画像に於けるカーソル(４)を図２のテーブルの倍率１.０に対応する大きさとすれば、２倍に拡大された画像に対応したカーソル(４)は図２のテーブルの倍率２.０に対応する大きさとなる。これにより、拡大された画像の特定の箇所、例えば赤目部分にカーソル(４)を合わせ易くなる。画像を縮小する場合は、縮小すべき倍率に応じたカーソル(４)をカーソルメモリ(40)から読み込んで、ディスプレイ(20)に表示させる。これにより、赤目部分が小さくなっても、該赤目部分にカーソル(４)を合わせ易くなる。
尚、拡大／縮小されるカーソル(４)の大きさは、拡大／縮小倍率に正比例しているのではない。例えば、通常画像を１０倍に拡大しても、カーソル(４)の大きさは、単純に１０倍の大きさとはならず、使用者にとって見易い大きさに設定される。即ち、図７に示すように、拡大倍率を横軸、カーソル(４)の大きさを縦軸とすると、一定の拡大倍率以上では、表示されるカーソル(４)の大きさは一定となる。
【００１５】
(カーソルの移動速度可変)
カーソル(４)は、使用者がカーソル釦(22)を押圧操作すると、前記の如く、カーソル(４)は上下左右に１ドットずつ移動する。しかし、拡大した画像にあっては、補間ピクセル(70)を作っているから、１ドットずつ移動すると、画像の大きさに対して、カーソル(４)の移動が遅いとの印象を使用者に与える。この点に鑑みて、本例にあっては、拡大倍率に応じて、カーソル(４)の移動速度を速めている。
例えば、使用者がズーム釦(24)(24)を操作して、画像を２倍に拡大するとする。ＣＰＵ(１)には表示倍率設定手段(３)を介して、この旨が入力される。ＣＰＵ(１)はカーソル移動量設定手段(41)に対して、カーソル釦(22)が押圧操作されると、カーソル(４)を上下左右に１×２＝２ドットずつ移動させるように命令する。拡大画像がディスプレイ(20)に表示された状態で、使用者がカーソル釦(22)を押圧操作すると、カーソル(４)は２ドットずつ移動する。
同様に、画像が３倍に拡大表示された状態では、カーソル(４)は３ドットずつ移動する。即ち、１ドットに拡大倍率を乗じた数だけ、カーソル(４)を移動させる。これにより、拡大画像に対して、カーソル(４)の移動が遅いとの印象を使用者に与えることはない。画像を２倍に拡大し、再び元の大きさに縮小した場合には、カーソル(４)は１ドットずつ移動する。尚、画像が元の画像から縮小された状態では、カーソル(４)を１ドットずつ移動させる。画像が元の画像から縮小された状態では、ピクセル(７)を間引いているから、画像の大きさに対するカーソル(４)の移動量は、元の画像の場合と変わらない。
【００１６】
(小画像切り換え)
使用者がデジタル画像を拡大しすぎると、図８(a)に示すように、赤目(８)がディスプレイ(20)の上端部からはみ出ることがある。これでは、カーソル(４)を赤目に合わせようとしても、カーソル(４)がディスプレイ(20)の上端部からはみ出てしまい、正しく赤目補正できない。
この点に鑑みて、カーソル(４)の位置がＹ軸上の原点に達する、即ちカーソル(４)の位置がＹ軸上の０以下となった際には、ＣＰＵ(１)は図９に示すフローチャートに基づく動作を行う。
ＣＰＵ(１)は元の通常の画像が、画像展開用メモリ(６)内の、どの小画像(60a)(60b)(60c)(図３参照)に対応していたかを先ず判断する(Ｓ10)。前記の如く、カーソル(４)の初期位置は、Ｘ座標１５６ドット、Ｙ座標１０４ドットであるから、真ん中の小画像(60a)が元の画像に対応している。
【００１７】
次に、ＣＰＵ(１)は画像展開用メモリ(６)から、真ん中の小画像(60a)の上に隣接する小画像(60b)を読み込む(Ｓ11)。即ち、真ん中の小画像である第１の小画像(60a)よりもカーソル(４)移動側に位置する第２の小画像(60b)を読み込む。これを、通常の画像サイズに拡大して、更に表示倍率設定手段(３)によって設定された倍率に拡大する(Ｓ12)。この拡大作業は、ＲＯＭ(10)内のソフトウエアを用いて画像展開用メモリ(６)内の小画像(60a)(60b)(60c)が格納されているのとは、別の領域で行われる。ＣＰＵ(１)は赤目補正すべき眼がディスプレイ(20)の上端部からはみ出た画像に代えて、拡大した小画像(60b)をディスプレイ(20)に表示する。ディスプレイ(20)上には、図８(b)に示すように、赤目(８)がディスプレイ(20)の上端部よりも下側に位置する画像が表示される。これにより、拡大しすぎた画像でも、赤目(８)部分にカーソル(４)を合わせて正しく赤目補正をすることができる。
尚、上記ではカーソル(４)の位置がＹ軸上の０以下となった際に、切り換えた小画像(60b)を拡大表示するとしたが、０は小画像を切り換える際のしきい値の例示であって、０に限定されない。また、通常の画像を拡大した結果、赤目(８)がディスプレイ(20)の下端部からはみ出れば、真ん中の小画像(60a)の下に隣接する小画像(60c)を読み込んで、拡大する。更に、上記記載では上下方向について説明したが、左右方向についても同様の原理で画像を表示することができる。
【００１８】
本例にあっては、画像の拡大／縮小は、ズーム釦(24)(24)を用いて行うとしたが、該ズーム釦(24)(24)は、デジタルカメラの撮影時に於ける光学ズーム及びデジタルズームを作動させる際にも使用される。従って、再生画像の拡大／縮小用に別途、操作釦を設ける必要はない。
また、カーソル(４)は赤目補正に使用されるとしたが、これに限定されない。斯種デジタルカメラにあっては、画像の特定箇所をカーソル(４)にて指して、色を使用者の好みに変える機能を有するものがあり、カーソル(４)は、ディスプレイ(20)上の画像の特定箇所を指す動作全般に用いられる。
更に、本例では、デジタル画像表示機器として、デジタルカメラを例示したが、これに限定されず、例えば小型ディスプレイを有する携帯用パーソナルコンピュータでもよい。
更に、カーソル(４)の大きさを、使用者が手動で選択できるモードを設け、使用者が所望の大きさのカーソル(４)をカーソルメモリ(40)から呼び出してもよい。
【００１９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
尚、カーソル設定の対象を赤目補正について説明したが、本願構成を用いて、画像の特定箇所にカーソルを合わせて、色補正することも可能である。
【図面の簡単な説明】
【００２０】
【図１】本発明に係わるデジタルカメラの内部ブロック図である。
【図２】カーソルメモリ内のテーブルを示す図である
【図３】小画像が重なった状態を示す図である。
【図４】(a)は被写体の上端部、(b)は被写体の中央部、(c)は被写体の下端部を示す小画像の図である。
【図５】カーソルが位置するＸ−Ｙ座標を示す図である。
【図６】カーソルの拡大動作を示すフローチャートである。
【図７】カーソルの大きさと拡大倍率の関係を示す図である。
【図８】(a)は赤目がディスプレイの上端部にて途切れた画像を示す図であり、(b)は赤目がディスプレイの中央部に位置する画像を示す図である。
【図９】赤目がディスプレイの上端部にて途切れた画像に代えて、赤目がディスプレイの中央部に位置する画像を示す動作を表すフローチャートである。
【図１０】従来のデジタルカメラのキャビネットの背面図である。
【図１１】(a)、(b)は、ピクセルを間引く動作を示す図である。
【図１２】(a)は通常の画像、(b)は縮小画像を示す図である。
【図１３】(a)、(b)は、デジタル画像を拡大表示する動作を示す図である。
【符号の説明】
【００２１】
(１)  ＣＰＵ
(２)  キャビネット
(３)  表示倍率設定手段
(４)  カーソル
(６)  画像展開用メモリ
(20)  ディスプレイ
(60a) 小画像
(60b) 小画像
【図１】
2006309040.tif 000003
【図２】
2006309040.tif 000004
【図３】
2006309040.tif 000005
【図４】
2006309040.tif 000006
【図５】
2006309040.tif 000007
【図６】
2006309040.tif 000008
【図７】
2006309040.tif 000009
【図８】
2006309040.tif 000010
【図９】
2006309040.tif 000011
【図１０】
2006309040.tif 000012
【図１１】
2006309040.tif 000013
【図１２】
2006309040.tif 000014
【図１３】
2006309040.tif 000015